(57)【要約】【課題】居室あるいは厨房室等の収納家具のＬ字形配列隅部に設置される隅用収納キャビネットの収納容積効率を向上させ、かつ収納作業性ならびに収納キャビネットの外観意匠性を向上させることを課題とするものである。【解決手段】平面断面が略Ｌ字形状をなし、この内隅部を主たる収納時使用面とする収納キャビネット１１の出隅側の面に、物品の出し入れ収納可能な副開口１６を備えた副収納部１５を設けたものである。また、さらには収納キャビネット１１の出隅側面の２面の内、副開口１６を設けない面を居室壁面に接して設置するものであり、入隅側からは収納作業性に劣る出隅側の空間に出隅側の面からの出し入れ収納を行う副開口１６を設けることにより、収納有効容積が各段に増大するとともに収納作業性を各段に向上させることができる。【選択図】図１
2005160610.tif 000002
【特許請求の範囲】
【請求項１】
平面視略Ｌ字形の収納キャビネットの入隅側に１個もしくは複数個の主開口を設け、前記主開口より物品の出し入れ収納を行う主収納部を複数設け、出隅側の面に設けた副開口から物品の出し入れ収納を行う副収納部を備えた隅用収納家具装置。
【請求項２】
入隅側の少なくとも１面に開口部を有する平面視略矩形の２個の主収納部と、出隅側に１個の副収納部を備え、前記２個の主収納部は各々開口部が略９０度対向してＬ字形に直交するように配置し、一方の主収納の開口部は全面を主開口に対応し、他方の主収納の開口部は一部が他方の主開口に対応しており、副収納部は出隅頂点近傍に配置した請求項１に記載の隅用収納家具装置。
【請求項３】
２つの主収納部の少なくとも一方に、主開口より出し入れ移動自在な物品収納ワゴンを格納した請求項１もしくは２に記載の隅用収納家具装置。
【請求項４】
２つの主収納部の少なくとも一方に、主開口より出し入れ移動自在な物品収納ワゴンを格納し、他方の主収納部には、前記ワゴン格納空間側に向けて引出し自在な収納ラック装置を設けた請求項３に記載の隅用収納家具装置。
【請求項５】
副収納部の内外間で出し入れ自在になる可動式収納ラックもしくはワゴンを備えた請求項１〜４のいずれか１項に記載の隅用収納家具装置。
【請求項６】
副収納部は、副開口に加え主開口から物品の出し入れ収納が可能な請求項１〜５のいずれか１項に記載の隅用収納家具装置。
【請求項７】
請求項１か〜６のいずれか１項に記載の隅用収納家具装置の出隅側の１面を壁面に当接して配置し、副開口を開放空間に向けて配置した隅用収納家具装置の配列方法。
【発明の詳細な説明】
【技術分野】
【０００１】
本発明は、住宅居室や厨房室等にあって、物品を出し入れ収納する家具、システムキッチン等の収納キャビネットとこの配列方法に関するものである。
【背景技術】
【０００２】
従来この種の収納の形態としては、収納家具、キッチンがＬ字形の配列をなす場合の隅部に、平面断面が略Ｌ字形をなす収納キャビネットを配し、この入隅部に出し入れ収納の開口面を設け、収納キャビネット内部に棚装置あるいは、収納キャビネット内外に移動自在なワゴンを備えていた（例えば、特許文献１参照）。
【０００３】
図５に示すように、収納キャビネット１は、平面がＬ字形状の入隅部を開口部２とし、前記開口部２の左右端に設けた側板３ａ、３ｂと、開口部２に対峙して背面側に後板４ａ、４ｂが９０度直交するようにして出隅部を形成して構成されている。
【０００４】
一方、一体的にＬ字形に形成された扉体５を備えたワゴン６は、これに備えた物品載置棚６ａが前記扉体５の裏面から奥方の出隅頂点側へ延出し、奥行端が前記の直交した後板４ａ、４ｂに沿った形状に斜めに形成され、開口部２より出し入れ自在に移動可能としている。さらに、ワゴン６が格納状態にあって、該ワゴン６の両側には、収納キャビネット１の側板３ａ、３ｂと後板４ａ、４ｂとワゴン６の側方により挟まれる三角形空間に可動式収納棚７を設け、前記開口部２から引き出し自在に構成し、この収納キャビネット側板３ａ、３ｂを隣接キャビネット８、前記の後板４ａ、４ｂを壁面に当接して居室内に設置されている。
【特許文献１】特開２００２−２８０３９号公報
【発明の開示】
【発明が解決しようとする課題】
【０００５】
しかしながら前記従来の収納装置では、Ｌ字形空間のほぼすべてを収納に使用可能ならしめる効果は有しているものの、出し入れ収納時の使用開口面がＬ字形平面の狭い入隅部のみに設けられており、幅の狭小なワゴンと、前記ワゴンを引き出した後に前記ワゴン両側に備えた可動式の収納棚装置を手前側に引き出す動作を必要とする複雑でコストの高い構成になっている。近年多く見られるシステムキッチンや収納家具の設置配列にあって、厨房・居室空間の一壁面に沿った範囲から空間中央部に向かって作業台や収納部が延出するＬ字形半島形の対面式配列に前記の隅用収納家具装置を用いた場合、Ｌ字形部での収納作業性は、入隅部からの出し入れ作業しか行えず、対面側から出し入れ収納が不可能であるため利便性に劣るものである。
【課題を解決するための手段】
【０００６】
前記従来の課題を解決するために、本発明の収納家具装置は、平面断面が略Ｌ字形状をなし、この内隅部を主たる収納時使用面とする収納キャビネットの出隅側の面に、物品の出し入れ収納可能な副開口を備えた副収納部を設け、さらに主開口より出し入れ自在な物品収納ワゴンを備えたものである。また、さらには隅用収納キャビネットを出隅側面の２面の内、副開口を設けない面を居室壁面に接して設置するものである。
【発明の効果】
【０００７】
以上説明したように本発明によれば、単一の隅用収納キャビネットを使用して入隅側からの物品出し入れ収納を行う主開口およびこの収納空間に加えて、入隅側からは収納作業性に劣る出隅側の空間に対して、出隅側の面からの出し入れ収納を行う副開口を設けることにより、収納有効容積が各段に増大するとともに収納作業性は各段に向上し、収納家具配列もコンパクトに構成できる効果がある、特に、出隅側の略直交する２面が居室壁面と開放空間側に面する隅用収納家具の配列にあってはより利便性が高まる収納家具配列となる。
【発明を実施するための最良の形態】
【０００８】
第１の発明は、平面視略Ｌ字形の収納キャビネットの入隅側に１個もしくは複数個の主開口を設け、前記主開口より物品の出し入れ収納を行う主収納部を複数設け、出隅側の面に設けた副開口から物品の出し入れ収納を行う副収納部を備えた隅用収納家具装置とするものである。
【０００９】
これにより、隅用収納家具装置の出隅側に収納出し入れの開口と収納空間を得ることができ、単一の隅用収納家具を用いて手前側としての入隅側と対面側の出隅側両方からの収納作業性を向上させることができる。
【００１０】
第２の発明は、入隅側の少なくとも１面に開口部を有する平面視略矩形の２個の主収納部と、出隅側に１個の副収納部を備え、前記２個の主収納部は各々開口部が略９０度対向してＬ字形に直交するように配置し、一方の主収納の開口部は全面を主開口に対応し、他方の主収納の開口部は一部が他方の主開口に対応しており、副収納部は出隅頂点近傍に配置したものである。
【００１１】
これにより、入隅側の主開口から最も遠い位置に有る空間を収納空間として利用することができ、収納作業性、収納有効容積が格段に向上する。
【００１２】
第３の発明は、第２の発明に対して、少なくとも一方の主収納部に、主開口より出し入れ移動自在な物品収納ワゴンを格納したものである。
【００１３】
これにより、より奥行を大としたワゴン格納空間の奥側に出隅側の副収納部を配置し、副収納部の手前側で主開口から手の届く範囲に入隅側の収納部が配置されるので、収納有効容積の高い隅用収納家具装置を提供できるものとなる。
【００１４】
第４の発明は、第３の発明に対して、ワゴンを格納しない他方の主収納部に、前記ワゴン格納空間側に向けて引出し自在な収納ラック装置を設けたものである。
【００１５】
これにより、ワゴン格納空間以外の主開口からの収納部の奥行を一層大なるものにすることが出来るので、収納有効容積効率はより高く、出し入れ作業性の高い隅用収納家具装置を提供できるものとなる。
【００１６】
第５の発明は、収納キャビネットに設けた副収納部の内外間で出し入れ自在になる可動式収納ラックもしくはワゴンを備えた隅用収納家具装置とするものである。
【００１７】
これにより、副収納部が出し入れ自在になる可動式の収納空間として提供され、収納作業性はさらに向上する。
【００１８】
第６の発明は、収納キャビネットに設けた副収納部が、副開口に加え主開口から物品の出し入れ収納が可能な隅用収納家具装置とするものである。
【００１９】
これにより、主開口と副開口の間で収納物品の相互やり取りが可能となり、特に対面式の収納家具配列にあっては、収納作業性が優れたものとなる。
【００２０】
第７の発明は、特に１〜６の発明の隅用収納家具装置を、出隅側の一面を壁面に当接して配置し、副開口を開放空間に向けて配置した配列方法とするものである。
【００２１】
これにより、居室壁面から居室内中央部に向けて延出する概ねＬ字形の半島形の対面式収納家具の配列にあっては、このＬ字形隅部にて、主開口・副開口いずれからも収納利便性に優れた収納部を有した隅用収納家具装置を配することにより、空間活用性が各段に向上する。
【００２２】
以下、本発明の実施の形態について、図面を参照しながら説明する。なお、この実施の形態によって本発明が限定されるものではない。
【００２３】
（実施の形態１）
図１は、本発明の第１の実施の形態における収納家具装置の平面断面図である。
【００２４】
図に示すように、収納キャビネット１１は、平面視Ｌ字形の直交端部に左右の側板１１ａ、１１ｂを配し、L字形の内側にあたる入隅側には前記側板１１ａ、１１ｂにそれぞれ手前側で直交して前幕板１１ｃ、１１ｄを相互に直交配置している。一方、Ｌ字形の外側にあたる出隅側には、後板１１ｅ、１１ｆを前記側板１１ａ、１１ｂの後方側で各々直交して配し、加えて収納キャビネット１１の略中央部に仕切板１１ｇが、前記前幕板１１ｃと後板１１ｅとの間に設けられている。前記の前幕板１１ｃ、１１ｄ下方には、Ｌ字形の各辺に主開口１２ａ、１２ｂを設け、この前面にＬ字形を各辺に分割して扉体１３ａ、１３ｂが、収納キャビネット側板１１ａ、１１ｂにそれぞれの支点を設けて開閉自在に備えられている。主開口１２ａ、１２ｂの奥方には棚１４ａ、１４ｂが棚受け１４ｃを介してそれぞれ複数段設けられ、前記側板１１ａと後板１１ｅと仕切板１１ｇに囲まれた空間と、側板１１ｂと後板１１ｆと前幕板１１ｃに囲まれた空間により２つの主収納部を形成している。
【００２５】
一方、収納キャビネット１１のＬ字形の外側にあたる出隅側の一面には、出隅頂点部を含み、収納キャビネット後板１１ｆと仕切板１１ｇとこれらに挟まれた前幕板１１ｈおよび前記前幕板１１ｃに囲まれる空間に、副収納部１５を形成している。さらに、前記幕板１１ｈの下方に副開口１６を設け、これを通して引出し自在なる複数段の収納かごを有した収納ラック１７を備え、該収納ラック１７の閉成時に前記の副開口１６を覆う前板１７ａを収納ラック１７に固定している。
【００２６】
また、収納キャビネット後板１１ｅ、１１ｆの外面には、扉体１３ａ、１３ｂや前板１７ａと同一寸法モジュ−ルあるいは意匠統一された化粧板１８ａ、１８ｂ、１８ｃを配し収納キャビネット１１に固定具備している。
【００２７】
以上の構成になる収納キャビネット１１は、側板１１ａ、１１ｂと当接して隣接キャビネット８と連結固定設置され、本発明になる収納家具装置を含み、入隅側と出隅側をそれぞれ使用面とする対面式家具配列を形成している。
【００２８】
以上のように構成された隅用収納家具装置について、以下その動作、作用を説明する。
【００２９】
収納キャビネット１１の入隅側の扉体１３ａもしくは１３ｂの開閉により、主開口１２ａもしくは１２ｂのを通して、主収納部としての棚１４ａもしくは１４ｂへの物品の出し入れ収納が可能であり、一方該出隅側の副収納部１５への物品の出し入れ収納は、副開口１６を通して、収納ラック１７の引出し操作で可能となる。
【００３０】
副収納部１５は、従来の隅用収納家具における入隅側の主開口１２ａもしくは１２ｂからでは、ほぼ手の届かない空間に、新たに副開口１６を設けることで有効な収納空間を提供しており、本実施の形態になる対面式収納家具配列にあっては、キャビネット１１の収納有効容積が格段に増加した効果を有する。
【００３１】
また、本実施の形態では、副収納部１５に設けた可動式収納ラック１７を備えて、より奥行の深い収納空間として形成しており、物品の収納利便性は優れたものとなる。
【００３２】
なお、本実施の形態では、主開口１２ｂの奥方を複数段の棚１４ｂとしたが、引出し自在になる収納ラックとしてもよく、また副収納部１５の往復引出し自在になる収納ラック１７に替えて、棚あるいは移動自在になるワゴンとしてもよい。
【００３３】
なお、本実施の形態では、副収納部１５は図に示す上方へ副開口１６を向けた構成としたが、副開口１６を図に示す左方の化粧板１８ｂの方向へ向けて配置構成することも容易に可能であることは述べるまでもない。
【００３４】
（実施の形態２）
図２は、本発明の第２の実施の形態における収納家具装置の平面断面図、図３は、同収納家具装置の外観上方要部斜視図、図４は、同収納家具装置の平面分解図である。
【００３５】
本実施の形態において、実施の形態１と異なる点は、主開口から出し入れ移動自在なワゴンを備え、さらに副収納部は、副開口もしくは主開口のいずれからでも物品の出し入れ収納が可能なものとしており、さらに主収納部、副収納部を形成するキャビネットを各々分割して構成した隅用収納家具装置としている。
【００３６】
まず、第１の主収納部２１としては、左右一対の側板２１ａ、前幕板２１ｂ、後板２１ｃおよび天板、底板（いずれも図示せず）により矩形立方体箱状に構成され、前記前幕板２１ｂの下方に主開口２２ａを設け、その前方には、主開口２２ａの幅より少なる幅を有した主開口の扉体２３が、前記側板２１ａに支点を有して開閉自在に備えられている。さらに主収納部２１には、主開口２２ａを通して引出し自在になる複数段の収納かごを有した収納ラック２４が設けられている。
【００３７】
次に、副収納部２５は、左右一対の側板２５ａと、収納出し入れの正面側になる部位に前幕板２５ｂを設け、内部には複数段の棚２５ｃが棚受け１４ｃを介して備えてある。さらに、前記前幕板２５ｂの下方には、副開口２６を配し、これを覆う扉体２７が、支点を側板２５ａに有して開閉自在に設けて、副収納部２５を、前記第１の主収納部側板２１ａの一方の側部に連結固定している。
【００３８】
一方、前記第１の収納部２１の前面と副収納部２５の側方に当接する形態にて第２の主収納部としてのワゴン２８の格納部２９は、側板２９ａとこれに直交する前幕板２９ｂ、およびこれの対向位置に後板２９ｃの３部材により、ワゴン２８を３方から囲む構成とし、第１の主収納部の前幕板２１ｂと格納部前幕板２９ｂ、および副収納部２５の側板２５ａと格納部後板２９ｃをそれぞれ連結固定し、前記前幕板２９ｂの下方には収納家具装置としての主開口２２ｂを形成している。
【００３９】
また後板２９ｃの外面には、化粧板３０が、扉体２３や２７と同一寸法モジュ−ルあるいは意匠統一されて格納部２９に固定係止されている。
【００４０】
一方、ワゴン２８は、扉体２３等と同一寸法モジュ−ルあるいは意匠統一された前板２８ａとハンドル２８ｂ、複数段の棚２８ｃおよびガ−ド体２８ｄとキャスタ−２８ｅにより構成され、前記格納部２９の主開口２２ｂを通して格納引出し移動自在としている。
【００４１】
さらに、副収納部２５の左右一対の側板２５ａの内、前記の格納部２９に面する側には、所定の面積を有する開口２５ｄを設け、副収納部２５と格納部２９を連通させている。
【００４２】
なお、第１の実施の形態と同一符号のものは同一構造を有し、説明は省略する。
【００４３】
以上のように構成された隅用収納家具装置について、以下その動作、作用を説明する。
【００４４】
第１の主収納部２１、副収納部２５、第２の主収納部としてのワゴン格納部２９の３つ区画の部材を合体組立することで、Ｌ字形平面の入隅と出隅の両位置に物品出し入れ収納用開口を形成し、さらに第１の主収納部の背面と副収納部の側面を壁面９に当接して設置する形態となる。Ｌ字形平面の収納家具装置の入隅側主開口２２ａ、２２ｂからの物品出し入れ収納は、主開口２２ｂから出し入れ移動自在になるワゴン２８を収納家具装置外へ移動させた後、扉体２３を開成し、収納ラック２４をワゴン格納部２９側へ引き出すことにより可能となる。ワゴン２８の奥行寸法は、図示寸法Ａに示すように、格納部の奥行寸法を最大限使用可能であり、収納ラック２４はワゴン格納部２９側に引出し自在として、奥行寸法Ｂを最大限大きくすることができ、収納効率および物品収納作業性は高いものとなる。
【００４５】
一方、第１の主収納部２１の幅寸法Ｃは、ワゴン格納部２９の奥行寸法Ａよりも小さく選定し、図に示すように収納ラック２４の左端部は、ワゴン格納部２９の略中央部に位置している。これは、収納ラック２４の幅を広くし、前記左端部位置を左方の副収納部寄りに広げた場合、主開口２２ｂからの距離が大となり、収納ラック２４の左端部に手が届き難くなることを回避している。収納家具装置をＬ字形平面に構成する上で、ワゴン格納部２９の奥行寸法Ａと収納部２１の幅寸法Ｃとにより生ずる差に相当する空間を副収納部２５として配置し、出隅側からの収納部として活用している。この結果、入隅側の主開口からは手の届かない部位に出隅側からの開口を設けることになり、本実施の形態になる出隅側と入隅側の両面を収納作業空間とする対面式収納家具配列に適したものとしている。
【００４６】
一方、副収納部２５と第２の主収納部の物品載置部としてのワゴン２８は、副収納部２５の側板２５ａの開口２５ｄを通して相互に物品のやり取りを可能としており、ワゴン２８の棚２８ｃ奥方に収納載置した物品が、副開口２６より前記開口２５ｄに手を伸ばすことで取り出し可能であり、主開口あるいは副開口のいずれからも物品の出し入れができ、入隅側と出隅側で物品の受け渡しができる対面式家具配列として、利便性を附加したものとなる。
【００４７】
さらには、図４に示すように、３つの区画を相互に連結固定してＬ字平面形に形成することにより、実施の形態１に示す複雑な構造の大型キャビネットを形成することなく、収納キャビネットの生産性は向上し、加えて前記の３つの区画を収納家具装置の設置施工時に組立合体すれば、キャビネット搬送入性あるいは設置工事性が各段に向上する。さらに、図に示す場合と左右勝手が反転する収納キャビネットの場合も、各収納部の構造が簡素化されており、左右勝手が反転する構造体の製作は容易であり、より好適である。
【００４８】
なお、本実施の形態では、副収納部２５を矩形平面になるものとしたが、第１の主収納部２１の出隅寄りの側板２１ａと、第２の主収納部２９に接する副収納部側板２５ａを２辺とする三角形平面断面とし、加えて三角形平面の棚を用いれば、出隅頂点部を斜めに面取りをした形状に収納家具装置を構成することも可能であり、このようにして、出隅頂点部の平面断面形状を多種に設定することも可能である。
【産業上の利用可能性】
【００４９】
以上のように、本発明にかかる収納家具装置は、収納キャビネットのこの内隅部を主開口とする収納キャビネットの出隅側の面に、第２の物品の出し入れ収納可能な開口を備えた副収納部を設けたものであり、隅用収納キャビネット内の収納容積効率や作業性に劣る部位に対して、活用性の高い収納部を提供し、さらに該部位に可動式の収納容器体を設けるなどとしており、例えば、住宅建築躯体の間仕切り壁を用いた収納庫室等の用途にも適用できる。
【図面の簡単な説明】
【００５０】
【図１】本発明の実施の形態１における隅用収納家具装置の平面断面図
【図２】本発明の実施の形態２における隅用収納家具装置の平面断面図
【図３】同収納家具装置の要部斜視図
【図４】同収納家具装置の平面分解図
【図５】従来の隅用収納家具装置の要部外観図
【符号の説明】
【００５１】
１１、３１  収納キャビネット
２１、３２、３３  主収納部
１２、２２  主開口
１３、２３、３４  主開口の扉体
１４  棚
２４  収納ラック
１５、２５、３５  副収納部
１６、２６、３６  副開口
２７、３７  副開口の扉体
１７  収納ラック
２９  ワゴン
【図１】
2005160610.tif 000003
【図２】
2005160610.tif 000004
【図３】
2005160610.tif 000005
【図４】
2005160610.tif 000006
【図５】
2005160610.tif 000007